(57)【要約】【課題】開閉可能とする覆蓋構造において、覆蓋構造上の太陽電池モジュール全体による発電量を向上可能とする太陽電池モジュールの設置構造を得ること。【解決手段】覆蓋対象とする施設の上方を覆蓋可能に構成され、太陽電池モジュール４が載置される傾斜面を備える複数の覆蓋部１、２、３を有し、複数の覆蓋部１、２、３は、複数の覆蓋部１、２、３のうちの少なくとも一つの移動により、施設の少なくとも一部を上方に開放させた開放状態と、複数の覆蓋部１、２、３によって施設全体を上方にて閉止させた閉止状態と、に移行可能であって、閉止状態において互いに隣り合う覆蓋部である第１覆蓋部と第２覆蓋部の少なくとも一方の移動により、第１覆蓋部のうち傾斜面の傾斜下側部分を第２覆蓋部のうち傾斜面の傾斜上側部分の下方に入り込ませることで、第２覆蓋部の覆蓋内側に第１覆蓋部の一部を収納可能とした。【選択図】図１
2012233316.tif 000002
【特許請求の範囲】
【請求項１】
覆蓋対象とする施設の上方を覆蓋可能に構成され、太陽電池モジュールが載置される傾斜面を備える複数の覆蓋部を有し、
複数の前記覆蓋部は、複数の前記覆蓋部のうちの少なくとも一つの移動により、前記施設の少なくとも一部を上方に開放させた開放状態と、複数の前記覆蓋部によって前記施設全体を上方にて閉止させた閉止状態と、に移行可能であって、
前記閉止状態において互いに隣り合う前記覆蓋部である第１覆蓋部と第２覆蓋部の少なくとも一方の移動により、前記第１覆蓋部のうち前記傾斜面の傾斜下側部分を前記第２覆蓋部のうち前記傾斜面の傾斜上側部分の下方に入り込ませることで、前記第２覆蓋部の覆蓋内側に前記第１覆蓋部の一部を収納可能としたことを特徴とする太陽電池モジュールの設置構造。
【請求項２】
複数の前記覆蓋部の前記傾斜面は、いずれも平行であることを特徴とする請求項１に記載の太陽電池モジュールの設置構造。
【発明の詳細な説明】
【技術分野】
【０００１】
本発明は、太陽電池モジュールを設置するための構造に関する。
【背景技術】
【０００２】
太陽電池モジュールは、太陽光を電力へ直接変換する装置である。太陽電池モジュールは、十分な発電を可能とするために、設置面積を広く確保することが望ましい。また、例えば浄水場のろ過池には、藻の繁殖防止や異物の投げ込みへの対策として、覆蓋を設置することがある。従来、浄水場では、この覆蓋構造の上に太陽電池モジュールを設置することによる太陽光発電が試みられている。
【０００３】
例えば、特許文献１には、互いに隣り合う覆蓋の大きさに差を持たせ、一方の覆蓋（上覆蓋部）の内側に他方の覆蓋（下覆蓋部）を入り込ませる機構により開閉可能とされた太陽光発電覆蓋装置が提案されている。
【先行技術文献】
【特許文献】
【０００４】
【特許文献１】特許第３４２０５７９号公報
【発明の概要】
【発明が解決しようとする課題】
【０００５】
従来の技術によると、覆蓋のうち太陽電池モジュールが設置される面は、いずれも覆蓋の移動方向に平行とされている。このため、太陽電池モジュールの少なくともいずれかが太陽と正対する向き以外の向きとなることで、十分な発電量が得られない場合がある。
【０００６】
また、下覆蓋部に設置される太陽電池モジュールは、上覆蓋部の下方に下覆蓋部を入り込ませるために、上覆蓋部に対して低い位置とされる。このため、上覆蓋部と下覆蓋部とを隣り合わせると、下覆蓋部の太陽電池モジュールには、上覆蓋部の影がかかる場合がある。太陽電池モジュールは、影のかかり方によっては、影がかかった面積相当分のみならず、影がかかっていない部分による出力や、他の太陽電池モジュールによる出力へも影響を及ぼし、発電量の大幅な低下を引き起こすことがある。
【０００７】
本発明は、上記に鑑みてなされたものであって、開閉可能とする覆蓋構造において、覆蓋構造上の太陽電池モジュール全体による発電量を向上可能とする太陽電池モジュールの設置構造を得ることを目的とする。
【課題を解決するための手段】
【０００８】
上述した課題を解決し、目的を達成するために、本発明は、覆蓋対象とする施設の上方を覆蓋可能に構成され、太陽電池モジュールが載置される傾斜面を備える複数の覆蓋部を有し、複数の前記覆蓋部は、複数の前記覆蓋部のうちの少なくとも一つの移動により、前記施設の少なくとも一部を上方に開放させた開放状態と、複数の前記覆蓋部によって前記施設全体を上方にて閉止させた閉止状態と、に移行可能であって、前記閉止状態において互いに隣り合う前記覆蓋部である第１覆蓋部と第２覆蓋部の少なくとも一方の移動により、前記第１覆蓋部のうち前記傾斜面の傾斜下側部分を前記第２覆蓋部のうち前記傾斜面の傾斜上側部分の下方に入り込ませることで、前記第２覆蓋部の覆蓋内側に前記第１覆蓋部の一部を収納可能としたことを特徴とする。
【発明の効果】
【０００９】
本発明によれば、太陽に正対する方向へ傾斜面を向けて複数の覆蓋部を設置可能とすることで、各太陽電池モジュールにより十分な発電量を得ることが可能となる。また、太陽に正対する方向へ傾斜面を向けることで、覆蓋部によって太陽電池モジュールにかかる影を少なくさせることもできる。複数の覆蓋部は、第２覆蓋部の覆蓋内側に第１覆蓋部の一部を入り込ませることで、高さを異ならせて構成された覆蓋部を用意する必要が無く、同等の高さを持たせて構成された覆蓋部による開閉動作が可能となる。
【図面の簡単な説明】
【００１０】
【図１】図１は、本発明の実施の形態にかかる太陽電池モジュールの設置構造を適用する太陽光発電システムの概略構成を示す斜視図である。
【図２】図２は、閉止状態としたときの各覆蓋部を支持部側から見た平面図である。
【図３】図３は、開放状態としたときの各覆蓋部を支持部側から見た平面図である。
【図４】図４は、従来の覆蓋構造の例を示す斜視図である。
【図５】図５は、図４に示す覆蓋構造を支持部側から見た平面図である。
【発明を実施するための形態】
【００１１】
以下に、本発明にかかる太陽電池モジュールの設置構造の実施の形態を図面に基づいて詳細に説明する。なお、この実施の形態によりこの発明が限定されるものではない。
【００１２】
実施の形態．
図１は、本発明の実施の形態にかかる太陽電池モジュールの設置構造を適用する太陽光発電システムの概略構成を示す斜視図である。太陽光発電システムは、太陽電池モジュールの設置構造である覆蓋装置と、太陽電池モジュール４とを備える。
【００１３】
覆蓋装置は、三つの覆蓋部１、２、３を含めて構成されている。覆蓋部１、２、３は、覆蓋対象とする施設の上方を覆蓋可能に構成されている。覆蓋装置による覆蓋対象とする施設は、例えば、浄水場のろ過池等とする。図１に示す覆蓋部１、２、３は、施設の上方を閉止させた閉止状態であるものとする。なお、覆蓋装置は、三つの覆蓋部１、２、３を備える場合に限られず、複数の覆蓋部を備えるものであれば良い。
【００１４】
覆蓋部１、２、３は、傾斜面をなす天板５と、天板５を支持する二つの支持部６とを備える。天板５の傾斜面は、覆蓋部１、２、３を並列させた方向について高低差を持つように傾けられている。覆蓋部１、２、３は、太陽に正対する方向へ各傾斜面が向くように設置されている。覆蓋部１、２、３の傾斜面は、いずれも略平行であって、水平面に対して概ね４５度程度の傾きとされている。これにより、太陽光発電システムは、太陽に略正対するように太陽電池モジュール４を設置可能とし、良好な発電状態とすることができる。
【００１５】
覆蓋装置は、覆蓋部２の覆蓋内側に覆蓋部１を入り込ませるために、覆蓋部１の二つの支持部６の間隔を、覆蓋部２の二つの支持部６の間隔に比べて狭くなるようにしている。また、覆蓋装置は、覆蓋部３の覆蓋内側に覆蓋部２を入り込ませるために、覆蓋部２の二つの支持部６の間隔を、覆蓋部３の二つの支持部６の間隔に比べて狭くなるようにしている。
【００１６】
太陽電池モジュール４は、各覆蓋部１、２、３の傾斜面に設置されている。本実施の形態において、覆蓋装置は、例えば、天板５ごとに三枚の太陽電池モジュール４を設置している。太陽電池モジュール４は、天板５に三枚ずつ設置される場合に限られない。太陽電池モジュール４は、各天板５上のできるだけ広範囲に設置されていれば良く、数や配置態様を適宜変更しても良い。太陽電池モジュール４は、傾斜面のうち傾斜上側に寄らせた配置としても良い。これにより、太陽電池モジュール４に天板５の影がかかることを抑制させる。
【００１７】
図２は、閉止状態としたときの各覆蓋部を支持部側から見た平面図である。図３は、開放状態としたときの各覆蓋部を支持部側から見た平面図である。覆蓋部１、２、３は、覆蓋部２、３の移動によって、施設の少なくとも一部を上方に開放させた開放状態と、施設全体を上方にて閉止させた閉止状態とに移行可能とされている。
【００１８】
閉止状態において、各覆蓋部１、２、３は、各傾斜面が他の天板５の下方に入り込まずいずれも太陽に正対するように並列している。覆蓋装置は、覆蓋部１側へ覆蓋部２、３を移動させることにより、施設の一部の上方を開放させる。覆蓋部２、３の移動には、例えば、支持部６を摺動させるレール構造（図示省略）を使用する。レール構造は、例えば、ろ過池の辺縁部に沿って敷設されている。覆蓋部２、３の移動は、自動および手動のいずれによるものであっても良いものとする。
【００１９】
二つの覆蓋部１、２に着目すると、第１覆蓋部である覆蓋部１と第２覆蓋部である覆蓋部２とは、閉止状態において互いに隣り合っている。閉止状態から開放状態への移行において、覆蓋部２は、覆蓋部１側へ移動する。覆蓋部２は、覆蓋部１のうち傾斜面の傾斜下側部分が、覆蓋部２のうち傾斜面の傾斜上側部分の下方に入り込む状態となるまで移動する。これにより、覆蓋部１、２は、覆蓋部２の覆蓋内側に覆蓋部１の一部が収納された状態となる。
【００２０】
また、二つの覆蓋部２、３に着目すると、第１覆蓋部である覆蓋部２と第２覆蓋部である覆蓋部３とは、閉止状態において互いに隣り合っている。閉止状態から開放状態への移行において、覆蓋部３は、覆蓋部２側へ移動する。覆蓋部３は、覆蓋部２のうち傾斜面の傾斜下側部分が、覆蓋部３のうち傾斜面の傾斜上側部分の下方に入り込む状態となるまで移動する。これにより、覆蓋部２、３は、覆蓋部３の覆蓋内側に覆蓋部２の一部が収納された状態となる。
【００２１】
覆蓋装置は、覆蓋部３の覆蓋内側に覆蓋部２の一部、覆蓋部２の覆蓋内側に覆蓋部１の一部がそれぞれ収納されることで、施設の一部を上方にて開放する開放状態となる。開放状態から閉止状態への移行の際は、各傾斜面が他の天板５の下方から完全に出された状態となるまで覆蓋部２、３を移動させる。覆蓋装置は、覆蓋部３の側へ覆蓋部１、２を移動させるもの、覆蓋部２の側へ覆蓋部１、３を移動させるもの等としても良い。
【００２２】
図４は、従来の覆蓋構造の例を示す斜視図である。図５は、図４に示す覆蓋構造を支持部側から見た平面図である。覆蓋装置は、例えば、二つの第１覆蓋部１１と二つの第２覆蓋部１２とを備える。第１覆蓋部１１および第２覆蓋部１２は、屋根状の傾斜面をなす二つの天板１３と、天板１３を支持する二つの支持部１４とを備える。
【００２３】
閉止状態において、第１覆蓋部１１および第２覆蓋部１２は、交互に配置されている。第１覆蓋部１１および第２覆蓋部１２は、第１覆蓋部１１および第２覆蓋部１２の少なくとも一方の移動によって、開放状態と閉止状態とに移行可能とされている。第２覆蓋部１２は、開放状態において、第１覆蓋部１１の覆蓋内側に収納される。
【００２４】
第２覆蓋部１２に設置される太陽電池モジュール４は、第１覆蓋部１１の下方に第２覆蓋部１２を入り込ませるために、第１覆蓋部１１に対して低い位置とされる。このため、第１覆蓋部１１および第２覆蓋部１２を閉止状態としたとき、第２覆蓋部１２の太陽電池モジュール４には、第１覆蓋部１１の影がかかる場合がある。太陽電池モジュール４は、影のかかり方によっては、影がかかった面積相当分のみならず、影がかかっていない部分による出力や、他の太陽電池モジュール４による出力へも影響を及ぼし発電量の大幅な低下を引き起こすことがある。また、従来の構成では、太陽電池モジュール４の少なくともいずれかが太陽と正対する向き以外の向きとなることで、十分な発電量が得られない場合がある。
【００２５】
本実施の形態にかかる太陽電池モジュールの設置構造は、太陽に正対する方向へ傾斜面を向けて複数の覆蓋部１、２、３を設置可能とすることで、各太陽電池モジュール４により十分な発電量を得ることが可能となる。また、太陽に正対する方向へ傾斜面を向けることで、隣り合う覆蓋部のうちの一方の覆蓋部に設置された太陽電池モジュール４に、他方の覆蓋部の影がかかることを抑制させる。また、第２覆蓋部である覆蓋部２、３に、第１覆蓋部である覆蓋部１、２の一部をそれぞれ入り込ませることで、高さを異ならせた覆蓋部を用意する必要が無く、同じ高さで構成された覆蓋部による開閉動作が可能となる。これにより、太陽電池モジュールの設置構造は、覆蓋構造上の太陽電池モジュール全体による発電量を向上させることが可能となる。
【００２６】
太陽電池モジュールの設置構造は、三つの覆蓋部１、２、３のうち二つを移動させるものである場合に限られない。太陽電池モジュールの設置構造は、複数の覆蓋部の少なくとも一つの移動により開放状態と閉止状態とに移行可能なものであれば良い。太陽電池モジュールの設置構造は、例えば、所定の収納位置まで全ての覆蓋部を移動させるものとしても良い。
【００２７】
太陽電池モジュールの設置構造は、浄水場のろ過池を覆蓋対象とするものに限られず、日射条件が良好で、かつ太陽電池モジュール４の設置面積を確保可能ないずれの施設を覆蓋対象とするものであっても良い。
【符号の説明】
【００２８】
１、２、３  覆蓋部
４  太陽電池モジュール
５  天板
６  支持部
【図１】
2012233316.tif 000003
【図２】
2012233316.tif 000004
【図３】
2012233316.tif 000005
【図４】
2012233316.tif 000006
【図５】
2012233316.tif 000007